(57)【特許請求の範囲】
【請求項１】
一端が開口し他端が閉塞された合成樹脂製の内キャップ（４）を、両端が開口された合成樹脂製の外キャップ（２）内に装着した筆記具等のキャップであって、前記内キャップ（４）の開口端外面に第一鍔部（５）を一体に設け、前記外キャップ（２）の内面に係止凸部（３）を一体に設け、前記第一鍔部（５）と前記係止凸部（３）とを乗り越え嵌合させ、さらに、前記内キャップ（４）の閉塞側の外面に第二鍔部（６）を一体に設け、前記第二鍔部（６）を前記外キャップ（２）の前側開口端に当接させてなることを特徴とする筆記具等のキャップ。
【請求項２】
第一鍔部（５）と第二鍔部（６）の間の内キャップ（４）外面の閉塞側に大径部（７）を設けると共に開口側に小径部（８）を設け、前記大径部（７）を外キャップ（２）内面と嵌合させてなる請求項１の筆記具等のキャップ。
【請求項３】
小径部（８）外面と外キャップ（２）内面との間に環状空間（９）を設けると共に、前記小径部（８）内面に筆記具本体と気密嵌合する環状のシール部（８２）を設け、さらに、前記シール部（８２）より後方の小径部（８）周壁に、前記環状空間（９）とキャップ（１）内とを連通させる横孔（８１）を貫設し、前記大径部（７）に、前記環状空間（９）と外部とを連通させる縦孔（７１）を貫設した請求項２の筆記具等のキャップ。
【発明の詳細な説明】
【０００１】
【発明の属する技術分野】
本発明は、筆記具等のキャップに関する。詳細には、気密保持用の内キャップを外キャップ内部に装着させてなる筆記具等のキャップに関する。
【０００２】
【従来の技術】
従来、この種の筆記具等のキャップにおいて、例えば、実開昭５６−１１３８７７号公報には、一端部にフランジ部を設けた有底の円筒状の中子（本発明の内キャップに相当）を、両端開口の円筒状のキャップ本体（本発明の外キャップに相当）内に、該フランジ部（本発明の第二鍔部に相当）をキャップ本体より露出させて挿着し、さらに、キャップ本体内に弾支体を挿着した筆記具のキャップが開示されている。
【０００３】
前記公報（実開昭５６−１１３８７７号）のキャップは、キャップ本体内に、弾支体と中子を係合させ、一体として挿入するため、中子をキャップ本体内周面に強固に固着できるとしても、弾支体等の別部材が必要であり、合成樹脂製の安価な筆記具用キャップには不向きである。その上、中子を強固に固定するために大きな圧入力を要し、取付作業を困難にする。
【０００４】
また、近年、幼児が誤って飲み込んだとしても窒息させることのないキャップ（いわゆる、通気キャップ）が、多数提案されている。例えば、実開平４−７７４９０号公報には、両端が開口された外キャップとこの外キャップに内キャップが装着された筆記具のキャップであって、外キャップの内周面の環状凸部と、内キャップ閉塞側外周面の環状凹部とが係合してなる構造が開示されている。
【０００５】
前記公報（実開平４−７７４９０号）のキャップは、内キャップ開口端外面と外キャップ内面との間に隙間を有するため、その隙間にペン先を突っ込み、ペン先の折損や破損を生じさせやすい。その上、前記公報のキャップは、内キャップと外キャップとの取付箇所が、環状凸部と環状凹部よりなる内キャップ閉塞側の一箇所のみである。そのため、内キャップの取付状態が外キャップに対して不安定となり、径方向にぐらつくおそれがある。
【０００６】
【発明が解決しようとする課題】
本発明は前記従来の問題点を解決するものであって、内キャップの外キャップへの装着作業を容易にさせ且つ内キャップと外キャップとの取付状態をぐらつきのない強固なものにし、その上、ペン先を内キャップと外キャップの隙間に突入させることがない簡易な構造の筆記具等のキャップを提供しようとするものである。また、前記構造を備えた通気キャップを提供しようとするものである。尚、本発明中の「前方」とはキャップ閉塞端方向を示し、「後方」とはキャップ開口端方向を示す。
【０００７】
【課題を解決するための手段】
▲１▼概要
本発明は、一端が開口し他端が閉塞された合成樹脂製の内キャップ４を、両端が開口された合成樹脂製の外キャップ２内に装着した筆記具等のキャップ１であって、前記内キャップ４の開口端外面に第一鍔部５を一体に設け、前記外キャップ２の内面に係止凸部３を一体に設け、前記第一鍔部５と前記係止凸部３とを乗り越え嵌合させ、さらに、前記内キャップ４の閉塞側外面に第二鍔部６を一体に設け、前記第二鍔部６を前記外キャップ２の前側開口端に当接させてなること（請求項１）を要件とする。
【０００８】
前記構成（請求項１）により、第一鍔部５は、合成樹脂よりなる内キャップ４開口端に一体に設けられているため、外キャップ２内面の係止凸部３との乗り越え嵌合の際、径方向内方に容易に弾性変形する。それにより、第一鍔部５が係止凸部３を小さい押込力で乗り越え可能となり、外キャップ２内への内キャップ４の取付作業が容易となる。それに加え、内キャップ４は、その開口端とその閉塞側の二箇所で、外キャップ２内壁に固定されているため、内キャップ４と外キャップ２の取付状態を強固にすることができる。さらに、内キャップ４開口端の第一鍔部５と外キャップ２の係止凸部３とを嵌合させることにより、内キャップ４開口端と外キャップ２内面との間に隙間を存在させないため、そこにペン先を、突き入れて損傷させるおそれがない。また、前記構成のキャップ１は、内キャップ４と外キャップ２の合成樹脂製の二部材のみからなる簡易な構造であり、前記内キャップ４の取付作業が容易な点と相まって、比較的安価に製造することができる。
【０００９】
▲２▼  大径部，小径部
また、前記構成（請求項１）において、第一鍔部５と第二鍔部６の間の内キャップ４外面の閉塞側に大径部７を設けると共に、開口側に小径部８を設け、前記大径部７を外キャップ２内面と嵌合させてなること（請求項２）が好ましい。すなわち、第一鍔部５と係止凸部３との乗り越え嵌合に加え、前記内キャップ４の大径部７を外キャップ２内面と嵌合させてなる構成により、外キャップ２に対する内キャップ４の径方向の取付状態が一層安定し、がたつき等が生じることがない。
【００１０】
▲３▼  通気キャップ
前記構成のキャップ（請求項１，２）において、幼児が誤って飲み込んだとしても窒息することがない通気キャップとする場合、内キャップ４の小径部８外面と外キャップ２内面との間に環状空間９を設けると共に、前記小径部８内面に筆記具本体と気密嵌合する環状のシール部８２を設け、さらに、前記シール部８２より後方の小径部８の周壁に、前記環状空間９とキャップ内とを連通させる横孔８１を貫設すると共に、前記大径部７に、前記環状空間９と外部とを連通させる縦孔７１を貫設した構成（請求項３）が有効である。
【００１１】
前記構成（請求項３）により、前記請求項１，２の作用効果（外キャップ２への内キャップ４の装着作業を容易にさせ、且つ、内キャップ４と外キャップ２との取付状態をぐらつきのない強固なものにすることができ、その上、ペン先を内キャップ４と外キャップ２の隙間に突入させることがない簡易な構造）を備えた通気キャップを容易に得ることができる。
【００１２】
【発明の実施の形態】
【００１３】
本発明の実施の形態を図面に従って説明する。
【００１４】
図１〜図７に本発明、筆記具等のキャップ１の一実施例を示す。図１は、本発明のキャップの縦断面図である（二点鎖線は筆記具本体を示す）。図２〜図４は、図１の、Ａ−Ａ線断面図、Ｂ−Ｂ線断面図、Ｃ−Ｃ線断面図を順次、示したものである。図５は、図１のキャップ天面の表示部８４を示す外観図である。図６は、内キャップ４の装着前の状態を示す半部縦断面図である。図７は、内キャップ４が装着される過程を示す説明図である。
【００１５】
（全体）
キャップ１は、気密保持用の内キャップ４を外キャップ２内部に、該外キャップ２の前端開口から装着した構成である。前記外キャップ２は、ポリプロピレン樹脂の射出成形からなる両端が開口した円筒体であり、一方、前記内キャップ４は、ポリブチレンテレフタレート樹脂の射出成形からなる有底の円筒体である。
【００１６】
（外キャップ）
前記外キャップ２内周面の中間部には、係止凸部３が一体に設けられる。前記係止凸部３は、その前面に、第一鍔部５が円滑に乗り越えるようにテーパ面３１が形成され、その後面に、第一鍔部５前面が確実な係合可能なように垂直面が形成される。尚、前記係止凸部３は、ここでは、環状であるが、周状に分散配列した複数の突起であってもよい。
【００１７】
（内キャップ）
前記内キャップ４は、その開口端外周面に、第一鍔部５が環状に一体に設けられ、一方、その閉塞端外周面に、第二鍔部６が環状に一体に設けられる。前記鍔部は、連続的な環状であることが強度面において好ましい。しかし、この他にも切り欠きを有し不連続であってもよいし、複数の突起を環状に分散配置した構成であってもよい。
【００１８】
（第一鍔部）
前記第一鍔部５は、係止凸部３と乗り越え嵌合（乗り越えた後、嵌着されること）が可能なように、その外径は、係止凸部３の内径、及び係止凸部３後方の外キャップ２内周面の内径より大きく設定されている。それにより、第一鍔部５は、係止凸部３を乗り越えた後、その外面が外キャップ２内周面に密着されると同時に、その前面が係止凸部３後面と前後方向に係合される。
【００１９】
（第二鍔部）
前記第二鍔部６は、その後面が、外キャップ２の前側開口端面（前端縁）と当接可能なように、その外径が外キャップ２の前側開口端の内径より大径に設定される。また、前記第二鍔部６は、内キャップ４の閉塞側に配設されればよく、本実施例の内キャップ４の閉塞端に設けることの他、内キャップ４の閉塞端（表示部８４）よりも開口側の後方に設けてもよい。
【００２０】
（ペン先の損傷防止）
内キャップ４開口端の内周面（すなわち第一鍔部５の内周面）には、テーパ面５１が形成され、開口端面の肉厚が薄く形成される。さらに、第一鍔部５の外周面が、外キャップ２の内周面に隙間なく密着されている。そのため、誤ってユーザーが、ペン先を、内キャップ４開口端面に突き当てたり、内キャップ４開口端外周面と外キャップ２内周面との間の隙間に突っ込んでしまうことがなくなり、キャップの装着でペン先を傷めることがない。
【００２１】
その上、本実施例では、係止凸部３前方（第一鍔部５前方）の外キャップ２内面に、環状にガイド突起２１が設けられている。前記ガイド突起２１は、その後面が、挿入されたペン先を径方向内方へ当接させながら導くテーパ面となっており、もし、ユーザーがペン先をキャップに対して傾けて装着したとしても、、ペン先を開口端に突き当てるおそれがなく、ペン先を長期にわたり適正に維持できる。
【００２２】
（大径部，小径部）
内キャップ４周壁の前記第一鍔部５と第二鍔部６の間には、外キャップ２内面と非接触の小径部８と、外キャップ２内面と嵌合する大径部７とが形成されている。前記小径部８は、外キャップ２の内径より小径であり、外キャップ２内面と非接触状態に取り付けられる。そのため、小径部８外面と外キャップ２内面の間に、環状空間９が形成される。また、前記大径部７は、第二鍔部６をその外周面前端に備えた筒状体を、内キャップ４閉塞端外周面に、該筒状体の内周面後端から突設した四本の連結部７３にて一体に接続させた構成である。
【００２３】
（通気路）
前記小径部８の内面には、筆記具本体と気密嵌合する環状突起（すなわちシール部８２）が一体形成される。さらに、前記シール部８２後方且つ第一鍔部５前方の小径部８周壁には、二個の横孔８１が対向位置に貫設される。また、前記大径部７には、軸方向に縦孔７１が貫設される。前記縦孔７１は、前方の環状孔（図４参照）と、後端に四本の連結部７３により分割された四個の孔（図２参照）とからなる。前記縦孔７１により、前記環状空間９とキャップ１前方の外気とが連通され、前記横孔８１により前記環状空間９と内キャップ８内部とが連通される。これにより、軸方向の通気路が確保される。
【００２４】
（回り止め係合）
内キャップ４の大径部７の外周面（対向位置に二箇所）には、軸方向の溝またはリブよりなる凹凸条７２が配設される。一方、外キャップ２の前側開口部の内周面の全周には、前記内キャップ４の凹凸条７２と噛み合う軸方向の凹凸条２２が配設されている（図４，図６，図７参照）。前記凹凸条２２，７２の係合により、内キャップ４の外キャップ２に対する回り止めがなされる。すなわち、筆記具本体からキャップ１を取り外す際、前後方向の引っ張り操作に加え、外キャップ２とともに内キャップ４を筆記具本体に対して回転操作（ねじり操作）することができ、キャップ１と筆記具本体の気密嵌合を、比較的小さい力で解除可能となる。
【００２５】
（内キャップの装着過程）
内キャップ４の小径部８には、膨大部８３が環状に形成されている（図６，図７）。前記膨大部８３は、内キャップ４の挿入ガイドとして機能する。すなわち、内キャップ４を外キャップ２内に装着させる過程において、内キャップ４を、その開口端側から順に外キャップ２前側開口部より挿入させていくと、内キャップ４大径部７と外キャップ２内面が嵌合する以前に、膨大部８３が外キャップ２内面に当接摺動されるため（図７）、内キャップ４を第一鍔部５から大径部７まで引っ掛かりなくスムーズに挿入できる。したがって、実際の組立工程では、上向き状態の外キャップ２の前側開口部から内キャップ４を挿入させるだけで、内キャップ４を、その自重で外キャップ２前側開口部に仮差し状態（つまり、内キャップ４の大径部７と外キャップ２内面との嵌合準備状態）に即座にすることが可能である。尚、前記膨大部８３は、大径部７より小さい外径を有し、前記通気のための環状空間９を形成するために、外キャップ２とは非接触状態に保持されている。
【００２６】
（表示部）
また、内キャップ４の閉塞端の外面は、平面状となっており、そこにペン先形状、ペン先サイズ、インキ色等をあらわす表示部８４（ここではペン先形状を示す記号Ｆ）が設けられている。
【００２７】
（適用可能な筆記具等）
尚、本発明のキャップは、例えば、マーキングペン、サインペン、ボールペン、パイプペン、万年筆等の筆記具、あるいは、修正液、化粧液、接着剤等の塗布具に適用可能である。
【００２８】
【発明の効果】
本発明は前記構成によって、外キャップへの内キャップの装着作業を容易にさせると同時に内キャップと外キャップとの取付状態をぐらつきのない強固なものにすることができ、その上、ペン先を内キャップと外キャップの隙間に突入させることがない簡易な構造の筆記具等のキャップを提供することができる。また、前記構造を備えたキャップを、容易に通気キャップとすることができる。
【図面の簡単な説明】
【図１】本発明の縦断面図である。
【図２】図１のＡ−Ａ線に沿う断面図である。
【図３】図１のＢ−Ｂ線に沿う断面図である。
【図４】図１のＣ−Ｃ線に沿う断面図である。
【図５】図１のキャップ頂部を示す外観図である。
【図６】図１の内キャップを装着する前の状態を示す半部縦断面図である。
【図７】図１の内キャップを装着する過程を示す説明図である。
【符号の説明】
１  キャップ
２  外キャップ
２１  ガイド突起
２２  凹凸条
３  係止凸部
３１  テーパ面
４  内キャップ
５  第一鍔部
５１  テーパ面
６  第二鍔部
７  大径部
７１  縦孔
７２  凹凸条
７３  連結部
８  小径部
８１  横孔
８２  シール部
８３  膨大部
８４  表示部
９  環状空間
【図１】
0003650900.tif 000002
【図２】
0003650900.tif 000003
【図３】
0003650900.tif 000004
【図４】
0003650900.tif 000005
【図５】
0003650900.tif 000006
【図６】
0003650900.tif 000007
【図７】
0003650900.tif 000008